(57)【要約】【課題】無線タグに記憶された設定情報を、安定的に、迅速、簡単に取得し、通信等の設定をすることができるプリンター、プリンターの制御方法を提供する。【解決手段】本発明を適用したプリンター１６０は、ネットワークＮＴに接続可能なＬＡＮインターフェイス１６２と、キャッシュドロワー１５５に制御信号を出力可能なコネクターと、キャッシュドロワー１５５に取り付けられネットワーク設定情報を含む設定情報が記憶されたＲＦタグ３００から、設定情報を無線で読み出す読出部１６１ａと、読出部１６１ａによって読み出された設定情報に基づき、ＬＡＮインターフェイス１６２の通信設定をする設定部１６３ａと、を備える。【選択図】図４
2017217858.tif 000002
【特許請求の範囲】
【請求項１】
ネットワークに接続可能な通信部と、
外部装置に制御信号を出力可能な接続部と、
前記外部装置に取り付けられネットワーク設定情報を含む設定情報が記憶された無線タグから前記設定情報を無線で読み出す読出部と、
前記読出部によって読み出された前記設定情報に基づき、前記通信部の通信設定をする設定部と、を備えたことを特徴とするプリンター。
【請求項２】
前記ネットワークはコンピューターと通信可能に接続されており、
前記設定部により通信設定された前記通信部は、前記ネットワークを介して前記コンピューターと通信することを特徴とする請求項１に記載のプリンター。
【請求項３】
前記通信部が前記コンピューターから前記外部装置に関するコマンドを受信すると、前記接続部から前記制御信号を前記外部装置に出力する制御部を備えることを特徴とする請求項２に記載のプリンター。
【請求項４】
前記無線タグに前記設定情報を無線で書き込む書込部を備え、
前記通信部が前記コンピューターから前記設定情報を変更するコマンドを受信すると、  前記書込部は、前記無線タグの前記設定情報を変更することを特徴とする請求項２に記載のプリンター。
【請求項５】
印刷媒体に印刷する印刷部と、を備え、
前記設定情報はプリンター設定情報を含み、
前記読出部によって読み出された前記設定情報に基づき、前記印刷部を制御して印刷をする制御部を備えることを特徴とする請求項１に記載のプリンター。
【請求項６】
前記読出部は、電源がオン、またはリセットされると、前記無線タグから前記設定情報を読み出すことを特徴とする請求項１から請求項５のいずれか１項に記載のプリンター。
【請求項７】
ネットワークと接続可能な通信部と、外部装置に制御信号を出力可能な接続部と、前記外部装置に取り付けられネットワーク設定情報を含む設定情報が記憶された無線タグから前記設定情報を無線で読み出す読出部と、を備えたプリンターの制御方法であって、
前記読出部によって前記無線タグから前記設定情報を読み出し、
読み出した前記設定情報に基づき前記通信部の通信設定をする、
ことを特徴とするプリンターの制御方法。
【発明の詳細な説明】
【技術分野】
【０００１】
本発明は、プリンター及びプリンターの制御方法に関し、特に、設定情報を無線タグから読み出して設定することができるプリンター及びプリンターの制御方法に関する。
【背景技術】
【０００２】
従来、ホストコンピューターとの間がネットワークで接続されている場合、ネットワークアドレス（例えば、ＩＰアドレス）を用いて通信するプリンター（ネットワーク対応のプリンター）が知られている。
【０００３】
この種のプリンターを別のプリンターに交換する場合（典型的には、故障したプリンターを別のプリンターに交換する場合）、設定情報（例えば、ネットワーク設定情報やプリンター設定情報）を、交換後のプリンターに設定し直すことが求められる。
これに対して、従来、プリンターの交換に際して、通信ケーブル（ケーブル本体）に取り付けられた無線タグ（例えば、ＲＦタグ）からリーダーライターによって無線で設定情報を読み取り、当該読み取った設定情報を交換後のプリンターに設定することが提案されている（例えば、特許文献１参照）。
【先行技術文献】
【特許文献】
【０００４】
【特許文献１】特開２００７−７４３４４号公報
【発明の概要】
【発明が解決しようとする課題】
【０００５】
しかし、特許文献１においては、無線タグが可撓性の通信ケーブル（ケーブル本体）に取り付けられており、無線タグとリーダーライターとの相対的な位置関係が定まらないため、無線タグとリーダーライターとの相対的な位置関係によっては、交換後のプリンターにおいて、設定情報を無線タグから安定して読み取ることができない（その結果、設定情報を迅速かつ適切に設定できない）という課題がある。
【課題を解決するための手段】
【０００６】
本発明は、上述の課題の少なくとも一部を解決するためになされたものであり、以下の形態または適用例として実現することが可能である。
【０００７】
（適用例１）
本適用例に係るプリンターは、ネットワークに接続可能な通信部と、外部装置に制御信号を出力可能な接続部と、前記外部装置に取り付けられネットワーク設定情報を含む設定情報が記憶された無線タグから前記設定情報を無線で読み出す読出部と、前記読出部によって読み出された前記設定情報に基づき、前記通信部の通信設定をする設定部と、を備えたことを特徴とする。
【０００８】
本適用例によれば、キャッシュドロワーなどの外部装置の近くにプリンターを置くことにより、外部装置に取り付けられた無線タグとの位置が規定される。そのため、プリンターは、安定的に無線で設定情報を読み出すことができ、迅速、簡単に通信部の設定をすることができる。
【０００９】
（適用例２）
上記適用例において、前記ネットワークはコンピューターと通信可能に接続されており、前記設定部により通信設定された前記通信部は、前記ネットワークを介して前記コンピューターと通信することを特徴とする。
【００１０】
本適用例によれば、プリンターは、ネットワークを介してコンピューターと、安定的に、迅速、簡単に通信をすることができる。
【００１１】
（適用例３）
上記適用例において、前記通信部が前記コンピューターから前記外部装置に関するコマンドを受信すると、前記接続部から前記制御信号を前記外部装置に出力する制御部を備えることを特徴とする。
【００１２】
本適用例によれば、コンピューターからのコマンドによりプリンターが外部装置を制御することができる。
【００１３】
（適用例４）
上記適用例において、前記無線タグに前記設定情報を無線で書き込む書込部を備え、前記通信部が前記コンピューターから前記設定情報を変更するコマンドを受信すると、前記書込部は、前記無線タグの前記設定情報を変更することを特徴とする。
【００１４】
本適用例によれば、プリンターは、外部装置に取り付けた無線タグに、コンピューターからのコマンドによりプリンターが変更した設定情報を書き込む。そのため、プリンターの交換の際、変更した設定情報が交換後のプリンターに反映される。
【００１５】
（適用例５）
上記適用例において、印刷媒体に印刷する印刷部と、を備え、前記設定情報はプリンター設定情報を含み、前記読出部によって読み出された前記設定情報に基づき、前記印刷部を制御して印刷をする制御部を備えることを特徴とする。
【００１６】
本適用例によれば、プリンターは、無線タグから取得した印刷設定情報に基づき印刷部を制御して印刷をすることができる。
【００１７】
（適用例６）
上記適用例において、前記読出部は、電源がオン、またはリセットされると、前記無線タグから前記設定情報を読み出すことを特徴とする。
【００１８】
本適用例によれば、プリンターは、電源がオン、またはリセットなどのシステムが起動するタイミングで、無線タグから設定情報を読み出すことができる。
【００１９】
（適用例７）
本適用例に係るプリンターの制御方法は、ネットワークと接続可能な通信部と、外部装置に制御信号を出力可能な接続部と、前記外部装置に取り付けられネットワーク設定情報を含む設定情報が記憶された無線タグから前記設定情報を無線で読み出す読出部と、を備えたプリンターの制御方法であって、前記読出部によって前記無線タグから前記設定情報を読み出し、読み出した前記設定情報に基づき前記通信部の通信設定をすることを特徴とする。
【００２０】
本適用例によれば、キャッシュドロワーなどの外部装置の近くにプリンターを置くことにより、外部装置に取り付けられた無線タグとの位置が規定される。そのため、プリンターは、安定的に無線で設定情報を読み出すことができ、迅速、簡単に通信部の設定ができる。
【図面の簡単な説明】
【００２１】
【図１Ａ】ＰＯＳ端末装置をオペレーター側から見た斜視図である。
【図１Ｂ】ＰＯＳ端末装置をカスタマー側から見た斜視図である。
【図２】ＲＦタグのハードウェア構成を示すブロック図である。
【図３】ＰＯＳ端末装置と店舗サーバーを含むネットワーク図である。
【図４】プリンターの機能構成を示すブロック図である。
【図５】プリンターの動作を示すフローチャートである。
【発明を実施するための形態】
【００２２】
以下、本発明を適用したプリンター１６０を含むＰＯＳ端末装置１５０の形態について図面を参照して説明する。
なお、以下の説明で参照する図面では、説明および図示の便宜上、部材ないし部分の縦横の縮尺を実際のものとは異なるように表す場合がある。また、説明に必要な構成要素以外は図示を省略する場合がある。
【００２３】
（ＰＯＳ端末装置の構成）
図１Ａ、図１Ｂは、本発明を適用したＰＯＳ端末装置１５０の外観を示す略図である。図１Ａはオペレーター側から見た図であり、図１Ｂはカスタマー側から見た図である。
【００２４】
ＰＯＳ端末装置１５０は、コンピューターとしてのホストコンピューター１５１、オペレーター用キーボード１５３、カスタマーディスプレイ１５４、キャッシュドロワー１５５、オペレーター用ディスプレイ１５６、カードリーダー１５８、レシート用のプリンター１６０、バーコードスキャナー１５７等を有している。プリンター１６０は一例として、サーマルヘッドを用いており印刷媒体として感熱記録紙が用いられる。キャッシュドロワー１５５の上部や側部などにはＲＦタグ３００が取り付けられている。
【００２５】
図１Ａにおいて、バーコードスキャナー１５７は店舗などで商品に付されたバーコードを読み取る際に用いられる。
ＰＯＳ端末装置１５０では、ホストコンピューター１５１の制御の下、バーコードスキャナー１５７により顧客（カスタマー）が購入しようとする商品に付されたバーコード情報を読み取られ、バーコード情報と対応する商品名や価格などの商品情報を記憶した商品マスターと呼ばれるデータベース１５２（図３）から商品情報が取得される。商品情報はオペレーター用ディスプレイ１５６に表示されオペレーターが確認する。また商品情報に基づき決済情報が生成されてカスタマーディスプレイ１５４に表示され、顧客に支払金額等が知らされる。また、オペレーターはオペレーター用キーボード１５３を操作して、決済情報をネットワークＮＴ（図３）経由でプリンター１６０に送信し、レシート１７０として印刷し顧客に渡す。そして、オペレーターは、オペレーター用キーボード１５３を操作して、キャッシュドロワー１５５を開き金銭の授受を行う。クレジット決済の場合は、オペレーターは、カードをカードリーダー１５８に通して決済をする。
【００２６】
（キャッシュドロワー）
キャッシュドロワー１５５は、プリンター１６０のコネクター１６８（接続部）とケーブル１８０で接続されている（図３）。オペレーターのオペレーター用キーボード１５３の操作に基づき、ホストコンピューター１５１からキャッシュドロワー１５５の開又は閉に関するコマンド（外部装置に関するコマンド）を通信部としてのプリンター１６０のＬＡＮインターフェイス１６２（図４）が受信する。プリンター１６０の制御部１６３（図４）は、キャッシュドロワー１５５内部のアクチュエーターを駆動する制御信号をキャッシュドロワー１５５に出力し、キャッシュドロワー１５５を開く又は閉じる。キャッシュドロワー１５５には、開又は閉を検出するセンサーが設置されており、ケーブル１８０を介してプリンター１６０の制御部１６３が検知することができる。
【００２７】
（ＲＦタグ）
図２はＲＦタグ３００のハードウェア構成を示すブロック図である。ＲＦタグ３００は、電波の送受信を行うアンテナ部３２０、アンテナ部３２０から受信した電波から信号と電流を分離する整流器３３０、電流を整流するレギュレーター３３１、現在の電圧値を元にレギュレーター３３１と電源検出部３３４をフィードバック制御するＢＧＲ３３２、レギュレーター３３１による電源を検出し動作可能であることをデータ処理部３６０へ通知する電源検出部３３４を含む。ＲＦタグ３００は、さらに、通信全体をコントロールする通信コントロール部３５０、データ送信時に整流器３３０をコントロールし電波を発生させる送信回路３７０、受信されたキャリアを検出するキャリア検出部３４０、データ処理部３６０のクロック信号を発生させるＯＳＣ３８０を備える。ＲＦタグ３００は、さらに、データ処理を行うデータ処理部３６０、ＩＰアドレス等のネットワーク設定情報３１０ａ（図３）やメモリー３１０を含む。メモリー３１０は、例えば、紙幅、印刷領域、印刷濃度、印刷速度、プリンターの識別情報等のプリンター設定情報３１０ｂ（図３）を保存する。なお、ＲＦタグ３００は、電子タグ、ＩＣタグ、無線タグ、ＲＦＩＤタグ等と呼ばれることもある。
【００２８】
（ネットワーク図）
図３は、ＰＯＳ端末装置１５０と店舗サーバー１３１を含むネットワーク図を示す。
ＰＯＳ端末装置１５０と店舗サーバー１３１とは、ＬＡＮ等のネットワークＮＴで通信可能に構成されている。店舗サーバー１３１は定期的に商品マスターの更新情報をＰＯＳ端末装置１５０のホストコンピューター１５１へ送り、ホストコンピューター１５１はデータベース１５２に記憶されている商品マスターを書き換える。また、ホストコンピューター１５１から店舗サーバー１３１へは決済情報を送信する。店舗サーバー１３１は受信した決済情報を集計し、売上分析や発注に役立てる。
【００２９】
また、ホストコンピューター１５１とプリンター１６０とはネットワークＮＴで通信可能に構成され、プリンター１６０は決済情報を受信しレシート１７０として印刷する。
プリンター１６０はキャッシュドロワー１５５とケーブル１８０で接続され、ホストコンピューター１５１からキャッシュドロワー１５５を開くための駆動コマンドを受信すると、キャッシュドロワー１５５を駆動し開くための制御信号を出力する。
【００３０】
キャッシュドロワー１５５には、ＲＦタグ３００が粘着剤により、又はケースなどの収納物に収納されて、上面や側面等に取り付けられている。プリンター１６０はキャッシュドロワー１５５の上や横などの近傍に設置されると、プリンター１６０の底面や側面に位置する送受信部１６１がキャッシュドロワー１５５に装着されたＲＦタグ３００と直近又は対向する位置となる。この位置関係により、プリンター１６０はＲＦタグ３００と安定した電波状態で確実に通信することができる。
プリンター１６０は、送受信部１６１によりＲＦタグ３００と電波で通信でき、ＲＦタグ３００に記憶されているネットワーク設定情報３１０ａや印刷濃度等のプリンター設定情報３１０ｂを受信して取得できる。
【００３１】
ネットワーク設定情報３１０ａは、例えば、プリンター１６０に割り当てられた固有のＩＰアドレスである。プリンター設定情報３１０ｂは、例えば、紙幅、印刷領域、印刷濃度、印刷速度、フォントの設定、余白の設定、プリンターＩＤ等である。プリンターＩＤは、プリンター１６０に割り当てられた固有の識別情報（例えば、製造番号）等である。
【００３２】
図４は、プリンターの機能構成を示すブロック図である。図４に示すように、プリンター１６０は、機能構成として、読出部１６１ａ、書込部１６１ｂを含む送受信部１６１、設定部１６３ａ、設定変更判定部１６３ｂを含む制御部１６３（ＣＰＵ）、印刷部１６４、記憶部１６５（ＲＯＭ、ＲＡＭ）、ＬＡＮインターフェイス１６２等を備える。
【００３３】
各部は、制御部１６３が記憶部１６５に書き込まれたファームウェア等の所定プログラムを読み込んで実行することにより制御される。
【００３４】
読出部１６１ａはアンテナ等を含み、所定タイミングで、ＲＦタグ３００からネットワーク設定情報３１０ａやプリンター設定情報３１０ｂを無線で読み出す。
【００３５】
所定タイミングは、例えば、ＲＦタグ３００が装着されたキャッシュドロワー１５５の近傍にプリンター１６０が設置された状態の下、プリンター１６０の電源スイッチがオンされたタイミングおよび、操作スイッチ（不図示）やコマンドによりプリンター１６０がリセットされたタイミングである。
【００３６】
設定部１６３ａは、読出部１６１ａが読み出したネットワーク設定情報３１０ａ、プリンター設定情報３１０ｂを、プリンター１６０の記憶部１６５に記憶する。
そして、設定部１６３ａは、読出部１６１ａが読み出したネットワーク設定情報３１０ａ、プリンター設定情報３１０ｂに基づきプリンター１６０の各設定をする。
【００３７】
書込部１６１ｂは、ネットワーク設定情報３１０ａ、プリンター設定情報３１０ｂを、ＲＦタグ３００に無線で書き込むことができる。書込部１６１ｂはアンテナを含んで構成される。
【００３８】
書込部１６１ｂは、後述のように、設定変更判定部１６３ｂによって、プリンター１６０の記憶部１６５に記憶されたネットワーク設定情報３１０ａ、プリンター設定情報３１０ｂ等の各設定情報の少なくとも一部が更新又は変更（以下変更とする）されたと判定された場合、当該変更後の各設定情報をＲＦタグ３００に無線で書き込む。
【００３９】
制御部１６３は、ホストコンピューター１５１からコマンドや印刷データ等を受信すると、記憶部１６５に記憶されたプリンター設定情報３１０ｂに基づき、印刷部１６４を制御してレシート１７０を印刷する。
例えば、制御部１６３は、コマンドで受信したプリンターＩＤが設定と合致した場合に印刷許可をし、受信した印刷データを紙幅、印刷領域、フォント、余白などの設定されたフォーマットに加工し、印刷部１６４のヘッドやモーターを制御して設定された印刷濃度、印刷速度で印刷をする。
【００４０】
設定変更判定部１６３ｂは、プリンター１６０の記憶部１６５に記憶された各設定情報の少なくとも一部が変更されたか否かを判定する。具体的には、ホストコンピューター１５１から受信した各設定情報に関するコマンドの受信や、プリンター１６０の操作スイッチの操作に基づき各設定情報を変更したかを検知して判定できる。
【００４１】
次に、本実施形態のプリンター１６０の動作（プリンターの制御方法）の一例について図５のフローチャートを参照しながら説明する。
【００４２】
具体的な場面としては、図４に示すＰＯＳ端末装置１５０において、キャッシュドロワー１５５の上など近傍に設置されたプリンター１６０が故障し、当該故障したプリンター１６０（以下、交換前のプリンター１６０と称する）を、控えの正常に動作する別のプリンター１６０（以下、交換後のプリンター１６０と称する）に交換する状況を例にして説明する。
【００４３】
図５に示す処理は、例えば、交換後のプリンター１６０において実行される処理である。交換後のプリンター１６０の制御部１６３が、記憶部１６５から読み込まれたファームウェア等の所定プログラムを実行することによって実現する。
【００４４】
なお、以下の説明においては、ＲＦタグ３００には、設定情報として、ネットワーク設定情報３１０ａ（ＩＰアドレス）及びプリンター設定情報３１０ｂが予め記憶されているものとする。なお、プリンター設定情報３１０ｂは、交換前のプリンター１６０において後述の処理（交換前のプリンター１６０の記憶部１６５に記憶されたプリンター設定情報３１０ｂを、ＲＦタグ３００に書き込む処理）が実行された結果、当該ＲＦタグ３００に書き込まれたものである。
【００４５】
ＰＯＳ端末装置１５０のプリンター１６０が故障した場合、図５に示す処理に先立ち、次の手順で、交換前のプリンター１６０を交換後のプリンター１６０に交換する。
【００４６】
まず、キャッシュドロワー１５５上など近傍に設置された故障した交換前のプリンター１６０を取り外す。代わりに交換後のプリンター１６０をキャッシュドロワー１５５近傍に設置する。ＲＦタグ３００は、キャッシュドロワー１５５に取り付けられている。ＲＦタグ３００の取り付け位置は、キャッシュドロワー１５５近傍に設置される交換後のプリンター１６０の直近となるような位置で、好ましくはキャッシュドロワー１５５の上や横など対向する位置となるように、キャッシュドロワー１５５に取り付けられている。
【００４７】
この構成により、次の効果を奏する。
交換後のプリンター１６０をキャッシュドロワー１５５近傍に設置することにより、送受信部１６１がキャッシュドロワー１５５上に取り付けられたＲＦタグ３００の直近や対向した位置となり、短い電波路となる又は電波が直進する方向となる。よって、送受信部１６１が安定して読み書きできる位置となる。ＲＦタグ３００は、プリンター１６０内の送受信部１６１が搭載された基板に近く、対向した位置に配置することができ、送受信部１６１との相対的な位置関係を一定に保つことができる。ＲＦタグ３００と送受信部１６１との相対的な位置関係を一定に保つことができる結果、従来技術と比べ、送受信部１６１によって各設定情報をＲＦタグ３００から無線で安定して読み取ることができる。また、送受信部１６１によって各設定情報をＲＦタグ３００に無線で安定して書き込むこともできる。
【００４８】
以上のように、各設定情報が記憶されたＲＦタグ３００がキャッシュドロワー１５５に設けられているため、交換後のプリンター１６０をキャッシュドロワー１５５近傍に置くことにより、交換前のプリンター１６０の各設定情報（例えば、ネットワーク設定情報３１０ａ、プリンター設定情報３１０ｂ）を、交換後のプリンター１６０に迅速かつ適切に設定できる。
【００４９】
なお、上記交換後のプリンター１６０がＲＦタグ３００タグから無線により設定情報を読み出すのは、交換後のプリンター１６０の電源スイッチがオンになったとき（ステップＳ１）、又はプリンター１６０がホストコンピューター１５１からリセットのコマンドを受信した場合、又はプリンター１６０の操作スイッチが操作された場合、に開始するように、制御部１６３が制御する。ホストコンピューター１５１から信号線によるリセットでもよい。
【００５０】
制御部１６３は、記憶部１６５に記憶されているＩＰアドレスを読み出し、ＩＰアドレスが工場出荷時等の初期値かどうかを判断する（ステップＳ２）。控えとして用意されているプリンター１６０は、購入した状態となっている場合が多いので、ＩＰアドレスが工場出荷時等の初期値（例えば１６進数で、０の連続値又はＦの連続値）か、否かで判断できる。初期値でない場合は、故障した交換前のプリンター１６０の可能性があるので、以降の処理をせずに交換前のプリンター１６０である可能性や、既に他のＰＯＳ端末装置１５０で使用されていたものの可能性があるので終了する（ステップＳ２：Ｎ）。ＩＰアドレスの初期値の代わりに、記憶部１６５に記憶されているプリンター設定情報の初期値か否かで判断してもよい。
なお、控えとして用意されているプリンター１６０が、他で使用されたことがあるが故障していないことが明らかな場合は、初期値か否かの判断を実行しなくてもよい。
【００５１】
交換後のプリンター１６０のＩＰアドレスが初期値であった場合（ステップＳ２：Ｙ）は、制御部１６３は、ケーブル１８０で接続されたキャッシュドロワー１５５の開閉のスイッチ（ＳＷ）の状態を読み込む（ステップＳ３）。スイッチが閉状態の場合は、キャッシュドロワー１５５が接続され、かつ、閉じている状態である。スイッチが開状態の場合は、キャッシュドロワー１５５が接続されていないか、又は開いている状態である。
【００５２】
スイッチが閉状態の場合（ステップＳ４：Ｙ）は、交換後のプリンター１６０がキャッシュドロワー１５５近傍に設置され、接続されていると判断できる。故障などでプリンター１６０を交換する際にはＰＯＳ端末装置１５０は決済処理をしていないので金銭の授受はしておらず、通常はキャッシュドロワー１５５を閉じていると推定できるためである。
【００５３】
制御部１６３はスイッチが閉状態と判定した場合（ステップＳ４：Ｙ）、送受信部１６１を制御してＲＦタグ３００に無線でアクセスし、ネットワーク設定情報３１０ａ（ＩＰアドレス等）及びプリンター設定情報３１０ｂを読み込む（ステップＳ５）。
なお、ネットワーク設定情報３１０ａ及びプリンター設定情報３１０ｂのうち少なくとも一方が読み出されるように設定されている場合、当該設定に基づき、少なくとも一方が読み出される。
【００５４】
以上のように、読出部１６１ａは、所定タイミング、すなわち、ＲＦタグ３００が設けられたキャッシュドロワー１５５近傍にプリンター１６０が設置されている状態の下、交換後のプリンター１６０の電源スイッチをオンにしたタイミング（ステップＳ１）等で、ＲＦタグ３００から各設定情報を無線で読み出す。
【００５５】
次に、交換後のプリンター１６０（設定部１６３ａ）は、読出部１６１ａが読み出した各設定情報を当該交換後のプリンター１６０に設定する。このとき、設定部１６３ａは、読出部１６１ａが読み出したネットワーク設定情報３１０ａ（ＩＰアドレス）とプリンター設定情報３１０ｂを、交換後のプリンター１６０の記憶部１６５に記憶（設定）する（ステップＳ６）。
【００５６】
交換後のプリンター１６０の記憶部１６５に設定されたネットワーク設定情報３１０ａ（ＩＰアドレス）に基づき、処理が実行されて、ホストコンピューター１５１と交換後のプリンター１６０のＬＡＮインターフェイス１６２との間に通信経路（例えば、ＴＣＰコネクション）が確立する（ステップＳ７）。
【００５７】
このようにして、交換後のプリンター１６０は、上記のように交換後のプリンター１６０に設定されたネットワーク設定情報３１０ａ（ＩＰアドレス）に基づき、ネットワークＮＴを介してホストコンピューター１５１との間で通信を行うことができる。
【００５８】
次に、交換後のプリンター１６０のＬＡＮインターフェイス１６２は、通信確立できたホストコンピューター１５１からネットワークＮＴを介して印刷データを受信した場合、当該受信した印刷データを、交換後のプリンター１６０の記憶部１６５に設定されたプリンター設定情報３１０ｂ等に基づき、印刷部１６４を制御してレシート１７０として発行する。
【００５９】
次に、交換前のプリンター１６０の記憶部１６５に記憶された各設定情報（例えば、プリンター設定情報３１０ｂ）を、ＲＦタグ３００に書き込む処理の一例について図４により説明する。
【００６０】
交換前のプリンター１６０の記憶部１６５に記憶された各設定情報（例えば、プリンター設定情報３１０ｂ）を、送受信部１６１を介してＲＦタグ３００に書き込む。
【００６１】
例えば、交換前のプリンター１６０（交換後のプリンター１６０も同様）において、交換前のプリンター１６０（制御部１６３）が、記憶部１６５から読み込まれたファームウェア等の所定プログラムを実行することによって実現される。
【００６２】
交換前のプリンター１６０の記憶部１６５に記憶されたプリンター設定情報３１０ｂは、当該プリンター設定情報３１０ｂの少なくとも一部が変更されるごとに、ＲＦタグ３００に書き込まれる。
プリンター設定情報３１０ｂの変更は、プリンター１６０がホストコンピューター１５１からプリンター設定情報３１０ｂの変更に関するコマンドを受信した場合、又はプリンター１６０の操作スイッチの操作により変更された場合などに、制御部１６３の設定部１６３ａが記憶部１６５に対して記憶して行う。
【００６３】
交換前のプリンター１６０（設定変更判定部１６３ｂ）は、交換前のプリンター１６０の記憶部１６５に記憶されたプリンター設定情報３１０ｂの少なくとも一部が変更されたか否かを判定する。
【００６４】
交換前のプリンター１６０のプリンター設定情報３１０ｂの少なくとも一部が変更されたと判定された場合、交換前のプリンター１６０の書込部１６１ｂは、当該変更後のプリンター設定情報３１０ｂの変更情報をＲＦタグ３００のプリンター設定情報３１０ｂに無線で書き込む。
【００６５】
以上のようにして、交換前のプリンター１６０の記憶部１６５に記憶されたプリンター設定情報３１０ｂは、当該プリンター設定情報３１０ｂの少なくとも一部が変更されるごとに、ＲＦタグ３００に書き込まれる（例えば、上書きされる）。なお、交換前のプリンター１６０の記憶部１６５に記憶されたネットワーク設定情報３１０ａも、当該ネットワーク設定情報３１０ａが変更されるごとに、ＲＦタグ３００に書き込まれる（例えば、上書きされる）。
【００６６】
以上説明したとおり、本実施形態によれば、プリンター１６０をキャッシュドロワー１５５近傍に設置することにより、各設定情報（例えば、ネットワーク設定情報３１０ａ、プリンター設定情報３１０ｂ）をキャッシュドロワー１５５に取り付けたＲＦタグ３００（無線タグ）から安定して読み取る、又は書き込むことができる。その結果、各設定情報を迅速かつ適切に設定可能なプリンター１６０及びプリンターの制御方法を提供できる。
【００６７】
これは、ＲＦタグ３００がキャッシュドロワー１５５に取り付けられているため、当該ＲＦタグ３００が設けられたキャッシュドロワー１５５近傍にプリンター１６０が設置された状態で、ＲＦタグ３００とプリンター１６０の送受信部１６１との相対的な位置関係を一定に保つことができることによる。さらに、この一定に保たれた位置関係にあるＲＦタグ３００から各設定情報を無線で安定的に読み書きすることができること、によるものである。
【００６８】
また、本実施形態によれば、キャッシュドロワー１５５近傍に交換後のプリンター１６０を置くことにより、交換前のプリンター１６０の各設定情報を、交換後のプリンター１６０に迅速かつ適切に設定できる。プリンター１６０の専門的な知見がないオペレーターでは、交換前のプリンター１６０のネットワーク設定情報３１０ａ、プリンター設定情報３１０ｂ等の各設定情報を調べることは難しい。さらに、調べた各設定情報を交換後のプリンター１６０に設定することも難しい。本実施形態によれば、オペレーターがこのような調査や設定をする必要がない。
【００６９】
また、本実施形態によれば、交換前のプリンター１６０をキャッシュドロワー１５５から外し、交換後のプリンター１６０をキャッシュドロワー１５５近傍に設置して電源スイッチをオンにするという極めてシンプルな手順で、各設定情報を、交換後のプリンター１６０に設定（承継）できる。
【００７０】
また、上記実施形態では、各設定情報が記憶された無線タグとしてＲＦタグ３００を用い、送受信部１６１によって無線タグ（例えば、ＲＦタグ３００）から無線で各設定情報を読み書きする例について説明したが、これに限らず、ブルートゥース（登録商標）、ＩｒＤＡ（登録商標）、ＮＦＣ（登録商標）等の他の無線通信を用いることもできる。
【００７１】
また、上記実施形態では、プリンター１６０としてレシート１７０を発行するＰＯＳプリンターを例示したが、これに限らず、他のプリンターにも、本発明を適用可能である。
【００７２】
また、上記実施形態では、プリンター１６０が故障し、当該故障したプリンター１６０を正常に動作する別のプリンター１６０に交換する場合、当該交換後の別のプリンター１６０に適用した例について説明したが、これに限らない。
【００７３】
例えば、ＰＯＳ端末装置１５０において、プリンター１６０を新規導入する場合、当該新規導入後のプリンター１６０に適用することもできる。
【００７４】
また、上記実施形態では、ネットワーク設定情報３１０ａがＩＰアドレスの例について説明したが、これに限らずネットワーク設定情報３１０ａとして他のネットワークアドレスを用いることも可能である。
【００７５】
（作用効果）
上述のように、プリンター１６０は、ネットワークＮＴに接続可能な通信部としてのＬＡＮインターフェイス１６２と、キャッシュドロワー１５５に制御信号を出力可能な接続部としてのコネクター１６８を備える。そして、プリンター１６０は、キャッシュドロワー１５５に取り付けられネットワーク設定情報３１０ａを含む設定情報が記憶されたＲＦタグ３００から設定情報を無線で読み出す読出部１６１ａと、読出部１６１ａによって読み出された設定情報に基づき、ＬＡＮインターフェイス１６２の通信設定をする設定部１６３ａと、を備える。
【００７６】
この構成によれば、キャッシュドロワー１５５などの外部装置の近くにプリンター１６０を置くことにより、外部装置に取り付けられたＲＦタグ３００との位置が規定され、安定的に、迅速、簡単にホストコンピューター１５１との間の通信設定をすることができる。
【符号の説明】
【００７７】
１５０…ＰＯＳ端末装置、１５１…ホストコンピューター、１５５…キャッシュドロワー、１６０…プリンター、１６１…送受信部、１６２…ＬＡＮインターフェイス、１６３…制御部、１６４…印刷部、１６５…記憶部、３００…ＲＦタグ。
【図１Ａ】
2017217858.tif 000003
【図１Ｂ】
2017217858.tif 000004
【図２】
2017217858.tif 000005
【図３】
2017217858.tif 000006
【図４】
2017217858.tif 000007
【図５】
2017217858.tif 000008